(57)【特許請求の範囲】
【請求項１】
光源からの光が通過する入射スリットが形成された入射部と、
前記入射スリットを通過した光を有効領域内で回折させて分光する回折格子と、
前記入射部及び前記回折格子の間に設けられ、前記入射スリットを通過した光のうち、
前記有効領域内に入射しない光の少なくとも一部を反射させて遮光するマスク部と、
前記マスク部で反射させた光を減衰させるトラップ空間が形成されたトラップ部と、
前記マスク部が、前記トラップ部に対して着脱可能に取り付けられていることを特徴とする分光器。
【請求項２】
前記回折格子は、回転軸を中心に回転可能に保持されており、
前記マスク部は、少なくとも前記有効領域に入射する光量が最も多くなる回転位置に前記回折格子が回転した状態で前記有効領域内に入射しない光を反射させて遮光することを特徴とする請求項１に記載の分光器。
【請求項３】
前記マスク部には、光を減衰させながら反射させる低反射率部材が設けられていることを特徴とする請求項１〜２のいずれかに記載の分光器。
【請求項４】
前記トラップ空間の内面には、光を減衰させながら反射させる低反射率部材が設けられていることを特徴とする請求項１〜３のいずれかに記載の分光器。
【請求項５】
回折格子を備えた分光器に入射する光源からの光を制限するための入射光制限部材であって、
前記光源からの光が通過する入射スリットが形成された入射部と、
前記入射部及び前記回折格子の間に設けられ、前記入射スリットを通過した光のうち、
前記回折格子の有効領域内に入射しない光の少なくとも一部を反射させて遮光するマスク部と、
前記マスク部で反射させた光を減衰させるトラップ空間が形成されたトラップ部と、
前記マスク部が、前記トラップ部に対して着脱可能に取り付けられていることを特徴とする入射光制限部材。
【発明の詳細な説明】
【技術分野】
【０００１】
本発明は、入射スリットを通過した光を回折格子で回折させて分光する分光器及びこれに用いられる入射光制限部材に関するものである。
【背景技術】
【０００２】
分光器の一例として、入射スリットから入射する光を回折格子で分光し、特定の波長の光のみを出射スリットから出射させるモノクロメータが知られている（例えば、下記特許文献１参照）。この種の分光器では、例えばハウジング内に回折格子が設けられており、ハウジングの壁面に、入射スリットが形成された入射部（入射ポート）や、出射スリットが形成された出射部（出射ポート）が設けられている。
【０００３】
光源からの光は光学系を介して集光され、微小な開口からなる入射スリットを通ってハウジング内に入射する。ハウジング内に入射した光は、拡がりながら回折格子に到達し、当該回折格子の有効領域（格子面）で回折することにより、各波長の光に分光される。回折格子は回転可能に設けられており、その回転位置に応じた特定の波長の光が集光され、出射スリットを通ってハウジングの外部に出射される。
【０００４】
汎用性の高いモノクロメータでは、光源からの光を導く光学系の構成がユーザにより任意に選択される。上記光学系としては、例えば集光レンズを用いて光源からの光を集光させる構成や、１本又は複数本の光ファイバを用いて光源からの光を導く構成など、様々なバリエーションがある。
【先行技術文献】
【特許文献】
【０００５】
【特許文献１】特開２００８−１８５５２５号公報
【発明の概要】
【発明が解決しようとする課題】
【０００６】
光源からの光を導く光学系が、上記のような様々なバリエーションを有している場合には、入射光束の明るさが光学系の構成に応じて変化することとなる。すなわち、入射光束の角度範囲が大きいときには、明るさの指標であるＦ値が小さくなり、入射光束の明るさが増加する。一方、入射光束の角度範囲が小さいときには、Ｆ値が大きくなり、入射光束の明るさが減少する。
【０００７】
図８Ａ及び図８Ｂは、入射光束の角度範囲θ２について説明するための概略断面図である。光源からの光は、入射スリット１０１を通ってハウジング１０２内に入射し、ハウジング１０２内に設けられた回折格子１０３の有効領域１３１で回折する。
【０００８】
図８Ａのように、Ｆ値が小さく、入射光束の角度範囲θ２が大きいときには、回折格子１０３の有効領域１３１全体に光が入射する場合がある。一方、図８Ｂのように、Ｆ値が大きく、入射光束の角度範囲θ２が小さいときには、回折格子１０３の有効領域１３１の一部にのみ光が入射する場合がある。
【０００９】
Ｆ値が小さければ感度が向上する一方で、Ｆ値が大きければ分解能が向上する。そのため、ユーザは、所望する感度又は分解能に応じて、光源からの光を入射スリット１０１に導く光学系（集光レンズなど）を調整することにより、入射光束の角度範囲θ２を任意に設定することができる。
【００１０】
しかしながら、上記のような光学系の調整は容易ではなく、図８Ａのように、回折格子１０３の有効領域１３１を超えて光が入射する場合がある。なお、図８Ａでは、回折格子１０３の有効領域１３１内に入射しない光をハッチングで示している。この場合、有効領域１３１内に入射しない光が迷光源となり、測定結果に悪影響を及ぼすおそれがある。
【００１１】
また、光学系の構成を変更する度に入射光束の角度範囲θ２を設定する作業を行うことは煩雑であるため、ユーザによっては、そのような作業を行うことなくモノクロメータを使用する場合がある。このような場合にも、図８Ａのように、回折格子１０３の有効領域１３１を超えて光が入射する場合がある。
【００１２】
このように、汎用性の高いモノクロメータでは、迷光が生じやすいという問題がある。このような問題を解消するために、例えばハウジングの内面を黒色に塗装したり、反射率の低い部材をハウジングの内面に貼り付けたりすることにより、迷光を低減するような対策が行われている。また、回折格子のエッジ部分に黒色のマスク部を設けることにより、当該エッジ部分での光の散乱を防止し、迷光を低減するような方法も知られている。
【００１３】
しかしながら、上記のような従来の迷光を低減させる方法は、回折格子１０３の有効領域１３１を超えた光がハウジング内に入射すること自体を防止するものではない。すなわち、迷光源を完全に遮断するものではなく、ハウジング内における迷光の発生を完全に防止することはできないため、より効果的に迷光を低減することができるような構成が望まれていた。
【００１４】
本発明は、上記実情に鑑みてなされたものであり、より効果的に迷光を低減することができる分光器及びこれに用いられる入射光制限部材を提供することを目的とする。
【課題を解決するための手段】
【００１５】
本発明に係る分光器は、入射部と、回折格子と、マスク部と、トラップ部とを備える。前記入射部には、光源からの光が通過する入射スリットが形成されている。前記回折格子は、前記入射スリットを通過した光を有効領域内で回折させて分光する。前記マスク部は、前記入射部及び前記回折格子の間に設けられ、前記入射スリットを通過した光のうち、前記有効領域内に入射しない光の少なくとも一部を反射させて遮光する。前記トラップ部には、前記マスク部で反射させた光を減衰させるトラップ空間が形成されている。
【００１６】
このような構成によれば、回折格子の有効領域内に入射しない光の少なくとも一部が、入射部及び回折格子の間に設けられたマスク部で反射することにより遮光される。さらに、マスク部で反射した光はトラップ空間で減衰される。これにより、マスク部において遮光された光は回折格子側には届かず、迷光源となることがないため、より効果的に迷光を低減することができる。
【００１７】
前記回折格子は、回転軸を中心に回転可能に保持されていてもよい。この場合、前記マスク部は、少なくとも前記有効領域に入射する光量が最も多くなる回転位置に前記回折格子が回転した状態で前記有効領域内に入射しない光を反射させて遮光することが好ましい。
【００１８】
このような構成によれば、回折格子がいずれの回転位置に回転した状態でも有効領域内に入射することがない光が、マスク部で反射することにより遮光される。これにより、不必要な光を確実に遮光することができるため、さらに効果的に迷光を低減することができる。
【００１９】
前記マスク部は、前記トラップ部に対して着脱可能に取り付けられていてもよい。
【００２０】
このような構成によれば、マスク部を必要に応じてトラップ部に取り付けることができるため、必要なユーザに対してのみ本発明の構成を備えた分光器を提供することができる。また、例えばトラップ部に入射部が設けられた構成の場合には、入射部、トラップ部及びマスク部の位置関係がずれることがないため、迷光源を精度よく遮断することができるとともに、位置調整を行う手間を削減することができる。
【００２１】
前記マスク部及び前記トラップ部は、一体的に形成されていてもよい。
【００２２】
このような構成によれば、マスク部及びトラップ部の位置関係がずれることがないため、迷光源を精度よく遮断することができる。また、例えばトラップ部に入射部が設けられた構成の場合には、入射部との位置関係もずれることがないため、迷光源をさらに精度よく遮断することができるとともに、位置調整を行う手間を削減することができる。
【００２３】
前記マスク部には、光を減衰させながら反射させる低反射率部材が設けられていてもよい。
【００２４】
このような構成によれば、回折格子の有効領域内に入射しない光の少なくとも一部が、入射部及び回折格子の間に設けられたマスク部で反射する際、マスク部に設けられた低反射率部材により減衰しながら反射され、さらに、反射した光はトラップ空間で減衰される。したがって、さらに効果的に迷光を低減することができる。
【００２５】
前記トラップ空間の内面には、光を減衰させながら反射させる低反射率部材が設けられていてもよい。
【００２６】
このような構成によれば、回折格子の有効領域内に入射しない光の少なくとも一部が、入射部及び回折格子の間に設けられたマスク部で反射した後、トラップ空間の内面に設けられた低反射率部材により減衰しながら反射される。したがって、さらに効果的に迷光を低減することができる。
【００２７】
本発明に係る入射光制限部材は、回折格子を備えた分光器に入射する光源からの光を制限するための入射光制限部材であって、入射部と、マスク部と、トラップ部とを備える。前記入射部には、前記光源からの光が通過する入射スリットが形成されている。前記マスク部は、前記入射部及び前記回折格子の間に設けられ、前記入射スリットを通過した光のうち、前記回折格子の有効領域内に入射しない光の少なくとも一部を反射させて遮光する。前記トラップ部には、前記マスク部で反射させた光を減衰させるトラップ空間が形成されている。
【発明の効果】
【００２８】
本発明によれば、マスク部において遮光された光は回折格子側には届かず、迷光源となることがないため、より効果的に迷光を低減することができる。
【図面の簡単な説明】
【００２９】
【図１】本発明の一実施形態に係る分光器の構成例を示した概略断面図である。
【図２】入射光制限部材の構成例を示した概略断面図である。
【図３】入射光制限部材の第１変形例を示した概略断面図である。
【図４】入射光制限部材の第２変形例を示した概略断面図である。
【図５】別実施形態に係る分光器の構成例を示した概略断面図である。
【図６】さらに別の実施形態に係る分光器の構成例を示した概略断面図である。
【図７】図６の分光器における入射光制限部材の変形例を示した概略断面図である。
【図８Ａ】入射光束の角度範囲について説明するための概略断面図であり、入射光束の角度範囲が大きい場合を示している。
【図８Ｂ】入射光束の角度範囲について説明するための概略断面図であり、入射光束の角度範囲が小さい場合を示している。
【発明を実施するための形態】
【００３０】
図１は、本発明の一実施形態に係る分光器１の構成例を示した概略断面図である。この分光器１は、光源２からの光を分光するためのモノクロメータであり、光源２からの光は集光レンズ３により集光されて分光器１内に入射する。集光レンズ３は、光源２から分光器１に光を導くための光学系を構成しており、当該光学系の構成をユーザが任意に選択することができるようになっている。すなわち、本実施形態に係る分光器１は汎用性が高く、集光レンズ３の種類を変更したり、集光レンズ３以外の光学系を採用したりすることができる。
【００３１】
分光器１は、例えば入射光制限部材４、第１反射鏡５、回折格子６、第２反射鏡７及び出射光制限部材８などを備えている。分光器１の外形はハウジング９により区画されており、当該ハウジング９内に第１反射鏡５、回折格子６及び第２反射鏡７が設けられるとともに、当該ハウジング９の壁面に入射光制限部材４及び出射光制限部材８が取り付けられている。入射光制限部材４及び出射光制限部材８は、ハウジング９の壁面に対して着脱可能であることが好ましい。
【００３２】
入射光制限部材４には、例えば小孔からなる入射スリット４１が設けられており、当該入射スリット４１を通過した光のみがハウジング９側に向かう。これにより、分光器１に入射する光源２からの光を制限し、分光器１に入射した光のみを第１反射鏡５で反射させ、回折格子６へと導くことができる。
【００３３】
入射スリット４１を通過した光は、拡がりながら回折格子６に到達する。ただし、第１反射鏡５が、例えばコリメート鏡で構成されることにより、入射スリット４１を通過した光が第１反射鏡５で平行光とされてから回折格子６に導かれるような構成であってもよい。また、第１反射鏡５が省略され、入射スリット４１を通過した光が回折格子６に直接導かれるような構成であってもよい。
【００３４】
回折格子６には、凹面からなる格子面が形成されており、当該格子面は、入射スリット４１を通過した光が入射する有効領域６１を構成している。入射スリット４１を通過した光は、有効領域６１内で回折することにより、各波長の光に分光される。そして、分光された特定の波長の光が、第２反射鏡７で反射し、出射光制限部材８を介してハウジング９の外部に出射する。第２反射鏡７は、例えばフォーカス鏡で構成されており、回折格子６からの光を集光させて出射光制限部材８に導く。
【００３５】
回折格子６は、回転軸６２を中心に回転可能に保持されている。例えば図１に破線で示すように、回転軸６２を中心に回折格子６を回転させることにより、その回転位置に応じた特定の波長の光を集光させ、出射光制限部材８を介してハウジング９の外部に出射させることができる。
【００３６】
出射光制限部材８には、例えば小孔からなる出射スリット８１が設けられており、当該出射スリット８１を通過した光のみがハウジング９の外部に出射する。これにより、分光器１内で生じた迷光の出射を制限し、回折格子６により分光された特定の波長の光のみを出射スリット８１から出射させることができる。
【００３７】
図２は、入射光制限部材４の構成例を示した概略断面図である。図２では、説明を簡略化するために第１反射鏡５が省略されている。入射光制限部材４は、例えば本体４２、入射板４３及びマスク板４４などを備えている。当該入射光制限部材４は、例えばハウジング９の壁面に対して外側から取り付けられている。
【００３８】
本体４２は、例えば筒状の部材により構成されており、一端部に入口側開口４２１が形成されるとともに、他端部に出口側開口４２２が形成されている。光源２から集光レンズ３を介して入射光制限部材４に入射する光は、本体４２の軸線Ｌに沿って入口側開口４２１から入射し、本体４２内を通って出口側開口４２２から出射する。
【００３９】
出口側開口４２２は入口側開口４２１よりも大径であり、段差面４２３を介して互いに連通している。段差面４２３は、例えば光の入射方向（軸線Ｌ方向）に対して直交する面により構成されている。ただし、このような構成に限らず、例えば円錐面などのように、軸線Ｌ方向に対して交差する方向に延びる面により段差面４２３が構成されていてもよい。
【００４０】
入射板４３は、上述の入射スリット４１が形成された入射部を構成している。入射板４３は、本体４２の一端面に取り付けられることにより、入口側開口４２１の一部を覆っている。すなわち、入射板４３は、入口側開口４２１の一部に対向する位置まで張り出しており、入射スリット４１を通過した光が、入口側開口４２１を介して本体４２内に入射される。
【００４１】
入射板４３は、本体４２に対して着脱可能となっている。このように、入射板４３が本体４２に対して着脱可能である場合には、例えば本体４２に設けられたピンなどの位置決め部材（図示せず）により、入射板４３を位置決めして取り付けることができるような構成であることが好ましい。ただし、入射板４３は、本体４２に対して着脱可能な構成に限らず、本体４２に対して固定されていてもよい。
【００４２】
マスク板４４は、出射スリット４５が形成されたマスク部を構成している。出射スリット４５は、入射スリット４１よりも大きい開口部からなる。マスク板４４は、本体４２の他端面に取り付けられることにより、出口側開口４２２の一部を覆っている。すなわち、マスク板４４は、出口側開口４２２の一部に対向する位置まで張り出しており、出射スリット４５を通過した光のみがハウジング９内に入射する。
【００４３】
ハウジング９には、出射スリット４５よりも大きい開口部９１が形成されており、当該開口部９１に出射スリット４５が対向するように、入射光制限部材４がハウジング９に取り付けられている。入射光制限部材４は、ハウジング９に対して固定されていてもよいし、着脱可能であってもよい。入射光制限部材４がハウジング９に対して着脱可能である場合には、例えば入射光制限部材４又はハウジング９に設けられたピンなどの位置決め部材により、入射光制限部材４を位置決めして取り付けることができるような構成であることが好ましい。
【００４４】
マスク板４４は、入射板４３と回折格子６との間に設けられており、出射スリット４５の形状及び位置に応じて、入射スリット４１から回折格子６側に導かれる光を制限することができる。本実施形態では、入射スリット４１を通過した光のうち、回折格子６の有効領域６１内に入射しない光の少なくとも一部がマスク板４４で遮光されるように、出射スリット４５の形状及び位置が設定されている。
【００４５】
より具体的には、図２にハッチングで示すように、回折格子６の有効領域６１内に入射する入射光束の角度範囲θ１を超える範囲の光が、全部又は部分的にマスク板４４で遮光されるように、入射スリット４１、出射スリット４５、有効領域６１の形状及び位置が設定されている。マスク板４４により遮光された光は、当該マスク板４４において反射することにより、本体４２内に残留することとなる。
【００４６】
マスク板４４は、本体４２に対して着脱可能となっている。このように、マスク板４４が本体４２に対して着脱可能である場合には、例えば本体４２に設けられたピンなどの位置決め部材（図示せず）により、マスク板４４を位置決めして取り付けることができるような構成であることが好ましい。ただし、マスク板４４は、本体４２に対して着脱可能な構成に限らず、本体４２に対して固定されていてもよい。
【００４７】
本体４２内には、マスク板４４で反射させた光を減衰させるトラップ空間４２４が形成されている。トラップ空間４２４は、例えば出口側開口４２２と段差面４２３との間の空間であり、マスク板４４で反射した光は、当該トラップ空間４２４内（本体４２の内面や段差面４２３など）で反射を繰り返すことにより減衰される。本体４２は、トラップ空間４２４が形成されたトラップ部を構成している。
【００４８】
トラップ空間４２４の内面、すなわち本体４２の内面及びマスク板４４におけるトラップ空間４２４側の面などの反射面は、例えば黒色に塗装されることにより、光を減衰させることができるようになっている。ただし、光を減衰させるための構成としては、上記反射面が黒色に塗装された構成に限らず、他の色に塗装された構成であってもよいし、反射率の低い部材が反射面に貼り付けられた構成など、他の各種構成を採用することができる。
【００４９】
このように、本実施形態では、回折格子６の有効領域６１内に入射しない光の少なくとも一部が、入射板４３及び回折格子６の間に設けられたマスク板４４で反射することにより遮光される。さらに、マスク板４４で反射した光はトラップ空間４２４で減衰される。これにより、マスク板４４において遮光された光は回折格子６側には届かず、迷光源となることがないため、より効果的に迷光を低減することができる。
【００５０】
また、本実施形態では、マスク板４４が本体４２に対して着脱可能であるため、マスク板４４を必要に応じて本体４２に取り付けることにより、必要なユーザに対してのみ本実施形態の構成を備えた分光器１を提供することができる。さらに、本実施形態のように本体４２に入射板４３が取り付けられた構成の場合には、入射板４３、本体４２及びマスク板４４の位置関係がずれることがないため、迷光源を精度よく遮断することができるとともに、位置調整を行う手間を削減することができる。
【００５１】
上述の通り、回折格子６は、回転軸６２を中心に回転可能となっている。したがって、例えば回折格子６が図２に実線で示す回転位置にある場合と、破線で示す回転位置にある場合とでは、出射スリット４５からの光に対する有効領域６１の角度が異なるため、有効領域６１に入射する光量が変化することとなる。
【００５２】
本実施形態では、少なくとも回折格子６が図２に実線で示す回転位置にある状態で有効領域６１内に入射しない光、すなわち回折格子６の有効領域６１内に入射する入射光束の角度範囲θ１を超える範囲の光（図２にハッチングで示した部分の光）が、マスク板４４で反射して遮光されるように設定されている。回折格子６が図２に実線で示す回転位置にある状態では、図２に破線で示すような他の回転位置と比べて、有効領域６１に入射する光量が最も多くなる。
【００５３】
このような設定とすれば、回折格子６がいずれの回転位置に回転した状態でも有効領域６１内に入射することがない光（図２にハッチングで示した部分の光）が、マスク板４４で反射することにより遮光される。これにより、不必要な光を確実に遮光することができるため、さらに効果的に迷光を低減することができる。
【００５４】
ただし、マスク板４４は、回折格子６の有効領域６１内に入射する入射光束の角度範囲θ１を超える範囲の光のみを遮光するような構成に限られるものではない。すなわち、マスク板４４は、上記角度範囲θ１よりも狭い範囲で入射スリット４１からの光を遮光するような構成であってもよいし、上記角度範囲θ１よりも広い範囲で入射スリット４１からの光を遮光するような構成であってもよい。
【００５５】
上記実施形態では、入射光制限部材４がハウジング９の壁面に対して外側から取り付けられた構成について説明したが、このような構成に限らず、ハウジング９の壁面に対して内側から入射光制限部材４が取り付けられた構成であってもよい。また、本体４２、入射板４３及びマスク板４４の少なくとも１つが分離して設けられていてもよい。
【００５６】
図３は、入射光制限部材４の第１変形例を示した概略断面図である。図３では、図２の場合と同様、説明を簡略化するために第１反射鏡５が省略されている。この例では、マスク板４４が本体４２に対して分離している点のみが図２の場合とは異なり、他の構成については図２の場合と同様であるため、同様の構成については図に同一符号を付して詳細な説明を省略する。
【００５７】
この例では、本体４２がハウジング９に対して外側から取り付けられるとともに、マスク板４４がハウジング９に対して内側から取り付けられている。すなわち、本体４２の出口側開口４２２と、マスク板４４の出射スリット４５とが、ハウジング９の開口部９１を介して連通している。マスク板４４は、ハウジング９の開口部９１の一部に対向する位置まで張り出すことにより、当該開口部９１の一部を覆っており、出射スリット４５を通過した光のみがハウジング９内に入射する。
【００５８】
ただし、マスク板４４が本体４２に対して分離した構成に限らず、入射板４３が本体４２に対して分離した構成であってもよいし、入射板４３及びマスク板４４の両方が本体４２に対して分離した構成であってもよい。一方で、本体４２、入射板４３及びマスク板４４の少なくとも２つが、１つの部材により一体的に形成されていてもよい。
【００５９】
図４は、入射光制限部材４の第２変形例を示した概略断面図である。図４では、図２の場合と同様、説明を簡略化するために第１反射鏡５が省略されている。この例では、本体４２及びマスク板４４が一体的に形成されている点、及び、トラップ空間４２４の形状が図２の場合とは異なり、他の構成については図２の場合と同様であるため、同様の構成については図に同一符号を付して詳細な説明を省略する。
【００６０】
この例では、本体４２及びマスク板４４が、１つの部材により一体的に形成されている。このような構成の場合には、図２の場合のように本体４２内に段差面４２３を形成することが困難である。そのため、この例では本体４２内に段差面４２３が形成されておらず、マスク板４４から入口側開口４２１までトラップ空間４２４が形成されている。
【００６１】
この場合、マスク板４４で反射した光は、本体４２の内面や入射板４３などで反射を繰り返すことにより減衰される。トラップ空間４２４の内面、すなわち本体４２の内面及び入射板４３におけるトラップ空間４２４側の面などの反射面は、例えば黒色に塗装されることにより、光を減衰させることができるようになっている。ただし、光を減衰させるための構成としては、上記反射面が黒色に塗装された構成に限らず、他の色に塗装された構成であってもよいし、反射率の低い部材が反射面に貼り付けられた構成など、他の各種構成を採用することができる。
【００６２】
このように、本体４２及びマスク板４４が一体的に形成された構成の場合には、本体４２及びマスク板４４の位置関係がずれることがないため、迷光源を精度よく遮断することができる。また、入射板４３も本体４２と一体的に形成された構成とすれば、入射板４３との位置関係もずれることがないため、迷光源をさらに精度よく遮断することができるとともに、位置調整を行う手間を削減することができる。
【００６３】
図５は、別実施形態に係る分光器１の構成例を示した概略断面図である。本実施形態では、光源２から分光器１に光を導くための光学系が、集光レンズ３ではなく光ファイバ１０により構成されている。この点を除けば、他の構成については上記実施形態と同様であるため、同様の構成については図に同一符号を付して詳細な説明を省略する。
【００６４】
入射光制限部材４には、光ファイバ１０の先端部を取り付けるためのファイバ取付部４６が備えられている。ファイバ取付部４６は、本体４２の一端面に取り付けられることにより、入口側開口４２１の一部を覆っている。ファイバ取付部４６には、本体４２の軸線Ｌに沿って延びる凹部４６１が形成されており、当該凹部４６１内に光ファイバ１０の先端部が挿入されて固定されている。
【００６５】
光ファイバ１０は、その先端面が凹部４６１の底面に当接している。凹部４６１の底面には開口が形成されており、当該開口が入射スリット４１を構成している。これにより、光ファイバ１０の先端面からの光が、入射スリット４１を通過し、入口側開口４２１を介して本体４２内に入射されるようになっている。ただし、入射スリット４１は、ファイバ取付部４６に形成された構成に限らず、ファイバ取付部４６とは別に設けられた部材（入射板など）に形成されていてもよい。
【００６６】
このように、光源２から分光器１に光を導くための光学系は、集光レンズ３に限らず、光ファイバ１０などの他の各種部材を用いて構成することができる。なお、光ファイバ１０は、１本に限らず、複数本設けられていてもよい。
【００６７】
図６は、さらに別の実施形態に係る分光器１の構成例を示した概略断面図である。本実施形態では、図２に示す入射光制限部材４に低反射率部材４７が設けられている。この点を除けば、他の構成については図２の場合と同様であるため、同様の構成については図に同一符号を付して詳細な説明を省略する。
【００６８】
低反射率部材４７は、マスク板４４に設けられている。具体的には、マスク板４４におけるトラップ空間４２４側（入射スリット４１側）の面に低反射率部材４７が設けられている。低反射率部材４７は、図６に示すように、出射スリット４５の周縁部までマスク板４４を覆っていることが好ましい。
【００６９】
低反射率部材４７におけるトラップ空間４２４側（入射スリット４１側）の面は、低反射率で光を反射させる低反射率面４７１となっている。低反射率面４７１としては、例えば黒色などの反射率が低い色で塗装された構成、又は、起毛紙などの反射率が低い素材からなる部材が貼り付けられた構成など、各種構成を採用することができる。低反射率面４７１の反射率は、２％以下であることが好ましいが、実用上は０．１〜０．２％であればより好ましい。
【００７０】
本実施形態では、回折格子６の有効領域６１内に入射しない光の少なくとも一部が、入射板４３及び回折格子６の間に設けられたマスク板４４で反射する際、マスク板４４に設けられた低反射率部材４７により減衰しながら反射され、さらに、反射した光はトラップ空間４２４で減衰される。したがって、さらに効果的に迷光を低減することができる。
【００７１】
図６の例では、マスク板４４が本体４２に取り付けられた構成が示されているが、これに限らず、図３〜図５に例示されるような他の構成からなる入射光制限部材４において、マスク板４４に低反射率部材４７が設けられた構成であってもよい。
【００７２】
図７は、図６の分光器における入射光制限部材４の変形例を示した概略断面図である。この例では、低反射率部材４７がトラップ空間４２４の内面に設けられている点のみが図６の例は異なり、他の構成については図６の場合と同様であるため、同様の構成については図に同一符号を付して詳細な説明を省略する。
【００７３】
低反射率部材４７は、例えば本体４２内の段差面４２３に設けられている。これにより、マスク板４４で１回反射した後の光がトラップ空間４２４の内面で反射する位置に、低反射率部材４７が設けられる。低反射率部材４７は、図７に示すように、入口側開口４２１の周縁部まで本体４２の内面を覆っていることが好ましい。ただし、段差面４２３に限らず、トラップ空間４２４の内面における他の位置に低反射率部材４７が設けられていてもよい。
【００７４】
低反射率部材４７におけるトラップ空間４２４側（出射スリット４５側）の面は、低反射率で光を反射させる低反射率面４７１となっている。低反射率面４７１の構成としては、図６の場合と同様の構成を採用することができる。
【００７５】
この例では、回折格子６の有効領域６１内に入射しない光の少なくとも一部が、入射板４３及び回折格子６の間に設けられたマスク板４４で反射した後、トラップ空間４２４の内面（段差面４２３）に設けられた低反射率部材４７により減衰しながら反射される。したがって、さらに効果的に迷光を低減することができる。
【００７６】
以上の実施形態では、入射スリット４１を有する入射部が、入射板４３のような板状の部材、又は、ファイバ取付部４６のような光ファイバ１０を取り付けるための部材である場合について説明した。しかし、このような構成に限らず、他の任意の部材により入射部を構成することができる。同様に、マスク部についても、マスク板４４のような板状の部材に限らず、他の任意の部材により構成することができる。
【００７７】
また、以上の実施形態では、トラップ空間４２４を有するトラップ部が、本体４２により構成される場合について説明した。しかし、このような構成に限らず、トラップ部が本体４２とは別に設けられた構成であってもよい。
【００７８】
さらに、以上の実施形態では、回折格子６の有効領域６１が、凹面からなる格子面により構成される場合について説明した。しかし、このような構成に限らず、回折格子６の有効領域６１は、平面などの他の形状からなる格子面により構成されていてもよい。また、回折格子１１は、有効領域６１で光を反射させる際に分光する反射型回折格子に限らず、有効領域６１で光を透過させる際に分光する透過型回折格子であってもよい。
【符号の説明】
【００７９】
１    分光器
２    光源
３    集光レンズ
４    入射光制限部材
５    第１反射鏡
６    回折格子
７    第２反射鏡
８    出射光制限部材
９    ハウジング
１０    光ファイバ
１１    回折格子
４１    入射スリット
４２    本体
４３    入射板
４４    マスク板
４５    出射スリット
４６    ファイバ取付部
４７    低反射率部材
６１    有効領域
６２    回転軸
８１    出射スリット
９１    開口部
４２１    入口側開口
４２２    出口側開口
４２３    段差面
４２４    トラップ空間
４６１    凹部
４７１    低反射率面
【図１】
0006743500.tif 000002
【図２】
0006743500.tif 000003
【図３】
0006743500.tif 000004
【図４】
0006743500.tif 000005
【図５】
0006743500.tif 000006
【図６】
0006743500.tif 000007
【図７】
0006743500.tif 000008
【図８Ａ】
0006743500.tif 000009
【図８Ｂ】
0006743500.tif 000010